(57)【要約】【課題】バタフライ弁両端のフランジ面間の寸法を調節する際、単に、ボルト部材を回転操作するだけで、弁箱に対してフランジ短管を軸方向に移動させてフランジ面間距離を調節可能になした面間伸縮式バタフライ弁を提供すること。【解決手段】フランジ短管移動手段８が、弁箱１側およびフランジ短管７側にそれぞれ対応して設けた少なくとも一対のネジ孔と、ネジ孔に螺合するボルト部材２０とからなり、ボルト部材が、軸方向一端側に一方向向きの第１のネジ部２１と、軸方向他端側に他方向向きの第２のネジ部２２とを一体的に備えたものからなり、弁箱側およびフランジ短管側に設けたそれぞれ対応するネジ孔が、互いに逆向きのネジ孔であり、ボルト部材の回転操作により、弁箱に対してフランジ短管を軸方向に移動させてフランジ面間距離を調節可能になしたことを特徴とする面間伸縮式バタフライ弁。【選択図】図３
2006125417.tif 000002
【特許請求の範囲】
【請求項１】
配管接続のための第１および第２の接続用管体部を備えた弁箱と、前記弁箱における少なくとも一方の接続用管体部に対して、軸方向一端側に前記接続用管体部に摺動可能で液密状態で接続される接続部を備え、軸方向他端側に配管接続フランジを備えたフランジ短管と、前記フランジ短管を前記弁箱に対して、軸方向に移動させてフランジ面間距離を調節するフランジ短管移動手段とを含む面間伸縮式バタフライ弁において、
前記フランジ短管移動手段が、前記弁箱側および前記フランジ短管側にそれぞれ対応して設けた少なくとも一対のネジ孔と、前記ネジ孔に螺合するボルト部材とからなり、前記ボルト部材が、軸方向一端側に一方向向きの第１のネジ部と、軸方向他端側に他方向向きの第２のネジ部とを一体的に備えたものからなり、前記弁箱側および前記フランジ短管側に設けたそれぞれ対応するネジ孔が、互いに逆向きのネジ孔であり、前記ボルト部材の回転操作により、弁箱に対してフランジ短管を軸方向に移動させてフランジ面間距離を調節可能になしたことを特徴とする面間伸縮式バタフライ弁。
【発明の詳細な説明】
【技術分野】
【０００１】
この発明は、弁箱両端の配管接続用管体部の面間距離を伸縮調節可能になした面間伸縮式バタフライ弁に関するものであり、特に、配管途中に設けられているバタフライ弁にあって、両配管のフランジ間の寸法に対応させて、該バタフライ弁両端のフランジ面間の寸法を調節することができ、且つ、配管へのバルブの取り付け作業および配管からのバルブの取り外し作業を極めて容易に行うことができるようにした面間伸縮式バタフライ弁に関するものである。
【背景技術】
【０００２】
従来、配管途中にバルブを設置するにあたって、両配管のフランジ間の寸法に対応させて、該バルブ両端のフランジ面間の寸法を調節する、所謂、面間調節機能付きのバルブに関しては、特許文献１〜５に開示されている技術内容のものが知られている。特許文献１のものは、「伸縮接合部付きバルブ」と称するものであり、特許文献２のものは、「弁」と称するものであり、特許文献３のものは、「弁」と称するものであり、特許文献４のものは、「面間調節機能付きバルブ」と称するものであり、特許文献５のものは、「伸縮自在弁」と称するものである。これらの各特許文献に開示されている技術内容によれば、バルブ両端のフランジ面間の寸法を調節するための手段として、いずれのものも、弁箱側およびフランジ短管側にそれぞれ対応して設けた少なくとも一対のネジ挿通孔と、このネジ挿通孔に挿通されるボルト部材と、これらをダブルナット方式で固定するための複数のナット部材との組み合わせによって構成されているものである。
【０００３】
上記する特許文献１〜５に開示されている技術内容のものによれば、弁箱に対して、フランジ短管を軸方向に移動させて、所望のフランジ面間距離を設定したのちに、この弁箱およびフランジ短管間を固定する際、各ボルトに対してそれぞれ複数のナット部材を操作しなければならず、作業性の面において極めて煩雑なものであった。
【０００４】
【特許文献１】特開２００２−１０６７３８号公報（要約、図１、図２）
【特許文献２】特開２００２−３４０２１１号公報（要約、図１）
【特許文献３】特開２００２−３４０２２３号公報（要約、図１）
【特許文献４】特開２００３−３１４７２２号公報（要約、図１、図４）
【特許文献５】特開２００４−２４５３２８号公報（要約、図１、図５）
【発明の開示】
【発明が解決しようとする課題】
【０００５】
そこで、この発明では、上記する従来技術の問題点を解消すべくなしたものであって、特に重要な要素は、配管途中に設けられているバタフライ弁にあって、両配管のフランジ間の寸法に対応させて、該バタフライ弁両端のフランジ面間の寸法を調節する際、単に、ボルト部材を回転操作するだけで、弁箱に対してフランジ短管を軸方向に移動させてフランジ面間距離を調節可能になし、以て、配管へのバルブの取り付け作業および配管からのバルブの取り外し作業を極めて容易に行うことができるようにした面間伸縮式バタフライ弁を提供しようとするものである。
【課題を解決するための手段】
【０００６】
この発明は、上記する目的を達成するにあたって、請求項１に記載の発明は、配管接続のための第１および第２の接続用管体部を備えた弁箱と、前記弁箱における少なくとも一方の接続用管体部に対して、軸方向一端側に前記接続用管体部に摺動可能で液密状態で接続される接続部を備え、軸方向他端側に配管接続フランジを備えたフランジ短管と、前記フランジ短管を前記弁箱に対して、軸方向に移動させてフランジ面間距離を調節するフランジ短管移動手段とを含む面間伸縮式バタフライ弁において、
前記フランジ短管移動手段が、前記弁箱側および前記フランジ短管側にそれぞれ対応して設けた少なくとも一対のネジ孔と、前記ネジ孔に螺合するボルト部材とからなり、前記ボルト部材が、軸方向一端側に一方向向きの第１のネジ部と、軸方向他端側に他方向向きの第２のネジ部とを一体的に備えたものからなり、前記弁箱側および前記フランジ短管側に設けたそれぞれ対応するネジ孔が、互いに逆向きのネジ孔であり、前記ボルト部材の回転操作により、弁箱に対してフランジ短管を軸方向に移動させてフランジ面間距離を調節可能になしたことを特徴とする面間伸縮式バタフライ弁を構成するものである。
【発明の効果】
【０００７】
この発明になる面間伸縮式バタフライ弁によれば、フランジ短管移動手段を、弁箱側およびフランジ短管側にそれぞれ対応して設けた少なくとも一対のネジ孔と、ネジ孔に螺合するボルト部材とにより構成し、ボルト部材を、軸方向一端側に一方向向きの第１のネジ部と、軸方向他端側に他方向向きの第２のネジ部とを一体的に備えたものによって構成し、弁箱側およびフランジ短管側に設けたそれぞれ対応するネジ孔を、互いに逆向きのネジ孔で構成したことにより、バタフライ弁両端のフランジ面間の寸法を調節する際、単に、ボルト部材を回転操作するだけで、弁箱に対してフランジ短管を軸方向に移動させてフランジ面間距離を調節することができ、以て、配管へのバルブの取り付け作業および配管からのバルブの取り外し作業を極めて容易に行うことができる点において極めて有効に作用するものといえる。
【発明を実施するための最良の形態】
【０００８】
以下、この発明になる面間伸縮式バタフライ弁について、図面に示す具体的な実施例に基づいて詳細に説明する。図１は、この発明になる面間伸縮式バタフライ弁を配管中に設置した状態を一部破断して示す概略的な斜視図であり、図２は、当該面間伸縮式バタフライ弁自体の外観構造を示す概略的な斜視図であり、図３は、この発明になる面間伸縮式バタフライ弁を配管中に設置した状態を一部破断して示す概略的な側面図である。
【０００９】
一方、図４は、この発明になる面間伸縮式バタフライ弁において、フランジ短管移動手段の具体的な例を示すものであって、図４Ａは、フランジ短管移動用のボルト部材の一例を示す概略的な側面図であり、図４Ｂは、例えば、フランジ短管側に配設するナット部材の一例を示す概略的な平面図であり、図４Ｃは、当該ナット部材の側面図である。さらにまた、図５Ａは、フランジ短管移動手段の一例であって、面間調節ボルト・ナットの構成を示す概略的な断面図であり、図５Ｂは、弁箱を配管に接続する一例であって、配管用ボルト・ナットの構成を示す概略的な断面図である。
【００１０】
この発明になる面間伸縮式バタフライ弁ＢＶは、基本的には、配管Ｐ１および配管Ｐ２との間を接続する弁部材であり、流路Ｐａを開閉する弁体２を収容した弁箱１により構成されている。前記弁箱１は、前記弁体２を収容する収容室３に対して、その両側に軸線Ｃ１に沿ってのびる配管接続のための第１の接続用管体部４および第２の接続用管体部５を備えている。前記弁体２は、前記軸線Ｃ１に交差する軸線Ｃ２のまわりに回転する弁軸６に取り付けられており、外部ハンドル操作により、前記流路Ｐａを開閉するようになっている。
【００１１】
この発明の具体的な一実施例において、前記弁箱１における第１の接続用管体部４に対しては、フランジ短管７がフランジ短管移動手段８を介して接続されている。図１〜図３に示す実施例において、前記フランジ短管７は、軸方向一端７ａ側に前記接続用管体部４に摺動可能で液密状態で接続される接続部９を備え、軸方向他端７ｂ側に配管接続フランジ１０を備えており、前記弁箱１に対して前記軸線Ｃ１方向に移動可能に組み合わされている。前記フランジ短管７の接続部９と前記弁箱１との間には、シーリング部材１１が配設されており、摺動可能で液密状態で接続されている。
【００１２】
前記弁箱１における第２の接続用管体部５に対しては、配管接続フランジ１２が直接的に形成されている。この配管接続フランジ１２並びに前記フランジ短管７における配管接続フランジ１０には、配管接続用のボルト１３、１４が挿通可能な複数個のボルト挿通孔１５、１６が設けてある。
【００１３】
次いで、この発明において最も重要な構成部分であるフランジ短管移動手段８について詳細に説明する。前記フランジ短管移動手段８は、前記弁箱１における接続用管体部４の外周部に、外方向に部分的に設けた部分フランジ１７と、前記フランジ短管７における配管接続フランジ１０とのそれぞれ対応する部分に設けたネジ孔１８、１９と、前記ネジ孔１８、１９に螺合するボルト部材２０とからなっている。
【００１４】
この発明におけるさらに重要な点は、前記ボルト部材２０の構成並びに前記ネジ孔１８、１９の構成にある。すなわち、この発明において、前記ボルト部材２０は、図４Ａに示すように、その軸方向の一端側２０ａに設けた、例えば、右ネジでなる第１のネジ部２１と、軸方向の他端側２０ｂに設けた、例えば、左ネジでなる第２のネジ部２２と、ボルト操作部２３とを一体的に備えたものからなっている。
【００１５】
これに対して、前記弁箱１における接続用管体部４の外周部の部分フランジ１７に設けたネジ孔１８は、右ネジに切られており、前記フランジ短管７における配管接続フランジ１０に設けたネジ孔１９は、左ネジに切られている。なお、前記前記フランジ短管７における配管接続フランジ１０側のネジ孔１９は、当該配管接続フランジ１０に直接設けたものであってもよいし、あるいは、図４および図５に示すように、前記配管接続フランジ１０に設けた凹部２４に装着される左ネジ孔１９を有するナット部材２５によるものであってもよい。
【００１６】
前記ボルト部材２０における第１のネジ部２１と第２のネジ部２２のネジ切りの方向は、上記する構成のものに限定されるものではなく、第１のネジ部２１が左ネジであって、第２のネジ部２２が右ネジであってもよく、その場合は、当然に前記弁箱１における接続用管体部４の外周部の部分フランジ１７に設けたネジ孔１８が左ネジ孔であり、前記フランジ短管７における配管接続フランジ１０に設けたネジ孔１９が右ネジである。
【００１７】
さらに、この発明において、前記フランジ短管移動手段８は、図３において示されるように、図の表側と裏側の部分に一対に一対設けたものであるが、この構成についてもフランジ周方向に、例えば、三等分した部分に３つ設けてもよいし、さらには、四等分した部分に４つ設けたものであってもよい。
【００１８】
上記する構成になるフランジ短管移動手段８によれば、前記ボルト部材２０の回転操作により、弁箱１に対してフランジ短管７を軸方向に移動させてフランジ面間距離を調節することができる。すなわち、前記ボルト部材２０における第１のネジ部２１が右ネジでなり、第２のネジ部２２が左ネジでなるものである場合には、前記ボルト部材２０を右へまわせば、フランジ面間が拡がり、前記ボルト部材２０を左へまわせば、フランジ面間が狭まる。これとは逆に、前記ボルト部材２０における第１のネジ部２１が左ネジでなり、第２のネジ部２２が右ネジでなるものである場合には、前記ボルト部材２０を右へまわせば、フランジ面間が狭まり、前記ボルト部材２０を左へまわせば、フランジ面間が拡がる。
【００１９】
この発明になる面間伸縮式バタフライ弁ＢＶにより配管接続する場合、上記手順にしたがって、フランジ短管移動手段８により、弁箱１における接続用管体部５側の配管接続フランジ１２と、前記フランジ短管７における配管接続フランジ１０との間のフランジ面間距離を設定したのち、配管接続フランジ１２側については、配管Ｐ１の配管接続フランジ２６とを整合させてボルト１３とナット２７によって固定し、前記フランジ短管７における配管接続フランジ１０側については、配管Ｐ２の配管接続フランジ２８とを整合させてボルト１４とナット２９によって固定する。後者の場合、前記弁箱１と配管Ｐ２の配管接続フランジ２８との間を固定するための別のボルト３０とナット３１とが用いられる。
【図面の簡単な説明】
【００２０】
【図１】図１は、この発明になる面間伸縮式バタフライ弁を配管中に設置した状態を一部破断して示す概略的な斜視図である。
【図２】図２は、当該面間伸縮式バタフライ弁自体の外観構造を示す概略的な斜視図である。
【図３】図３は、この発明になる面間伸縮式バタフライ弁を配管中に設置した状態を一部破断して示す概略的な側面図である。
【図４】図４は、この発明になる面間伸縮式バタフライ弁において、フランジ短管移動手段の具体的な例を示すものであって、図４Ａは、フランジ短管移動用のボルト部材の一例を示す概略的な側面図であり、図４Ｂは、例えば、フランジ短管側に配設するナット部材の一例を示す概略的な平面図であり、図４Ｃは、当該ナット部材の側面図である。
【図５】図５Ａは、フランジ短管移動手段の一例であって、面間調節ボルト・ナットの構成を示す概略的な断面図であり、図５Ｂは、弁箱を配管に接続する一例であって、配管用ボルト・ナットの構成を示す概略的な断面図である。
【符号の説明】
【００２１】
ＢＶ  面間伸縮式バタフライ弁
Ｐ１  第１の配管
Ｐ２  第２の配管
Ｐａ  流路
１  弁箱
２  弁体
３  弁体収容室
４  第１の接続用管体部
５  第２の接続用管体部
Ｃ１  流路軸線
Ｃ２  弁軸軸線
６  弁軸
７  フランジ短管
８  フランジ短管移動手段
９  接続部
１０  配管接続フランジ
１１  シーリング部材
１２  配管接続フランジ
１３、１４  配管接続用のボルト
１５、１６  ボルト挿通孔
１７  部分フランジ
１８、１９  ネジ孔
２０  ボルト部材
２１  第１のネジ部
２２  第２のネジ部
２３  ボルト操作部
２４  凹部
２５  ナット部材
２６  配管Ｐ１の配管接続フランジ
２７  ナット
２８  配管Ｐ２の配管接続フランジ
２９  ナット
３０  ボルト
３１  ナット
【図１】
2006125417.tif 000003
【図２】
2006125417.tif 000004
【図３】
2006125417.tif 000005
【図４】
2006125417.tif 000006
【図５】
2006125417.tif 000007